(57)【要約】      （修正有）【課題】照明ムラを抑えつつ明るい照明が可能な計器装置を提供する。【解決手段】回路基板１と、計器本体３と、指針４と、指針４が指示する第１の表示部５２ａ及び指針４の回転中心部Ｒと第１の表示部５２ａとの間に位置する第２の表示部５２ｂとを有する前面パネル５と、少なくとも第１，第２の表示部５２ａ、５２ｂを照明する光源６（６２）と、前面パネル５と回路基板１との間に配置される反射体７とを備えた計器装置において、反射体７は光源６２と対向し光源６２からの照明光を外周に反射する第１の反射部７２と、光源６２を取り巻くように前面パネル５とは適宜空間を空けて外側に延長し光源６２からの照明光を前面パネル５側に反射させる第２の反射部７３とを有し、第１の反射部７２と前面パネル５との間に照明光を通過させて第２の表示部５２ｂを照明する隙間部７６を設けた。【選択図】図２
2009162560.tif 000002
【特許請求の範囲】
【請求項１】
回路基板と、前記回路基板に配置され駆動軸が前方側に伸びる計器本体と、前記駆動軸の先端側に装着される指針と、前記指針と前記回路基板との間に設けられ、前記指針が指示する第１の表示部及び前記指針の回転中心部と前記第１の表示部との間に位置する第２の表示部とを有する前面パネルと、前記第１の表示部よりも前記駆動軸側に位置する前記回路基板の前方側に配置され少なくとも前記第１，第２の表示部を照明する光源と、前記前面パネルと前記回路基板との間に配置される反射体とを備えた計器装置において、
前記反射体は前記光源と対向し前記光源からの照明光を外周に反射する第１の反射部と、前記光源の周囲に位置し前記前面パネルとは適宜空間を空けて外側に延長し前記光源からの照明光を前記前面パネル側に反射させる第２の反射部とを有し、前記第１の反射部と前記前面パネルとの間に前記照明光を通過させて前記第２の表示部を照明する隙間部を設けてなることを特徴とする計器装置。
【請求項２】
前記第１の反射部に前記照明光を前記前面パネル側に通過させる穴部を設けたことを特徴とする請求項１に記載の計器装置。
【請求項３】
前記反射体が前記穴部を通過した前記照明光を前記隙間部側に反射する第３の反射部を有することを特徴とする請求項１および請求項２に記載の計器装置。
【発明の詳細な説明】
【技術分野】
【０００１】
本発明は、例えば車両に搭載される計器装置に関し、特にその照明構造に関するものである。
【背景技術】
【０００２】
従来の計器装置として、例えば特許文献１に記載のものがある。この計器装置は回路基板と、回路基板に配置され駆動軸が前方側に伸びる計器本体と、駆動軸の先端側に装着される指針と、指針と回路基板との間に設けられ、指針が指示する第１の表示部及び指針の回転中心部と第１の表示部との間に位置する第２の表示部とを有する前面パネルと、第１の表示部よりも駆動軸側に位置する回路基板の前方側に配置され少なくとも第１，第２の表示部を照明する光源と、前面パネルと回路基板との間に配置される反射体とを備えたものが知られている。
【０００３】
反射体は光源と対向し光源からの照明光を外周に反射する第１の反射部と、光源の周囲に位置し、前面パネルとは適宜空間を空けて外側に延長し光源からの照明光を前面パネル側に反射させる第２の反射部とを有しており、第２の表示部は第１の反射部付近に設けられている。
【特許文献１】特開２００１―１７４２９３号公報
【発明の開示】
【発明が解決しようとする課題】
【０００４】
しかしながら、特許文献１記載の計器装置においては、第２の表示部と第１の反射部との位置関係によっては第２の表示部を適切に照明することが難しく、そのため、第２の表示部の位置が制約されてしまうことがある。    
【０００５】
即ち、第２の表示部が第１の反射部の真上よりも外側（第１の表示部側）に位置する場合は、光源からの照明光を直接受けることになるため、強力な反射光によって輝度が強くなりすぎる。また、第２の表示部が第１の反射部の真上に位置する場合は、第１の反射部が障害となって光源からの照明光が遮られてしまうため、暗くなりやすく、設計者が意図する照明効果が得られない。
【０００６】
このような事情から、第２の表示部を本来配置したい位置に設けることができず、その配設位置が限られてしまうなど、表示部の位置が制約され設計上の自由度が制限されてしまう。
【０００７】
本発明は、この様な点に鑑みなされたもので、反射体を有する計器装置において、第１の反射部付近に配置される表示部を適切に照明することができ、また設計上の自由度を向上することができる計器装置を提供することを目的とする。
【課題を解決するための手段】
【０００８】
本発明は前記課題を解決するため、回路基板と、前記回路基板に配置され駆動軸が前方側に伸びる計器本体と、前記駆動軸の先端側に装着される指針と、前記指針と前記回路基板との間に設けられ、前記指針が指示する第１の表示部及び前記指針の回転中心部と前記第１の表示部との間に位置する第２の表示部とを有する前面パネルと、前記第１の表示部よりも前記駆動軸側に位置する前記回路基板の前方側に配置され少なくとも前記第１，第２の表示部を照明する光源と、前記前面パネルと前記回路基板との間に配置される反射体とを備えた計器装置において、前記反射体は前記光源と対向し前記光源からの照明光を外周に反射する第１の反射部と、前記光源を取り巻くように前記前面パネルとは適宜空間を空けて外側に延長し前記光源からの照明光を前記前面パネル側に反射させる第２の反射部とを有し、前記第１の反射部と前記前面パネルとの間に前記照明光を通過させて前記第２の表示部を照明する隙間部を設けたものである。
【０００９】
また、本発明は前記第１の反射部に前記照明光を前記前面パネル側に通過させる穴部を設けたものである。
【００１０】
また、本発明は前記反射体が前記穴部を通過した前記照明光を前記隙間部側に反射する第３の反射部を有するものである。
【発明の効果】
【００１１】
請求項１から請求項３の発明によれば、反射体を有する計器装置において、第１の反射部付近に配置される表示部を適切に照明することができ、また設計上の自由度を向上することができる。
【発明を実施するための最良の形態】
【００１２】
以下、本発明実施形態を添付の図面に基づいて説明する。図１は本発明の第１の実施形態における計器装置の前方側要部を示す平面図である。図２は図１のＡ-Ａ断面図である。
【００１３】
図１，図２において、本実施形態による計器装置は、回路基板１と、この回路基板１に導通固定された駆動軸２が前方に延びる計器本体３と、駆動軸２の先端に装着される指針４と、この指針４の計器本体３側に配設される前面パネル５と、駆動軸２の周囲に複数配設される光源６と、前記前面パネル５と回路基板１との間に設けられる反射体７とから主に構成される。
【００１４】
回路基板１は、例えばガラスエポキシ基材に配線パターン（図示せず）を施した硬質の回路基板からなり、計器本体３と光源６に電力供給を行う回路パターン（図示せず）を有する。
【００１５】
計器本体３は、例えばステッピングモータを適用でき、駆動軸２を有し、この駆動軸２の先端に指針４が連結される。また計器本体３は、その本体部が回路基板１の背面側に位置し、駆動軸２が回路基板１を貫通して前方側に延びている。
【００１６】
指針４は、例えば指示部４１が透過性合成樹脂から形成される発光指針を適用でき、前面パネル５に施された指標部（図示せず）を指示する。
【００１７】
前面パネル５は、例えば透過性合成樹脂からなる薄板状基材にスクリーン印刷を施してなるものであり、前面パネル５には指針４の回動軌道に沿って指示対象となる目盛や文字、マークなどが環状に印刷された第１の表示部５２ａと、この第１の表示部５２ａと指針４の回動中心部との間に位置する速度計の単位などが印刷された第２の表示部５２ｂとを備えている。また前面パネル５の中心部には駆動軸２が貫通する貫通穴５３が形成されている。
【００１８】
光源６は、回路基板１の前方側に配置された例えばチップ型発光ダイオードからなり、駆動軸２周辺に駆動軸２を中心として同心円上に複数配置される指針用光源６１と、同じく駆動軸２を中心として指針用光源６１の外側に同心円上にて複数配置される前面パネル用光源６２とから構成されている。
【００１９】
反射体７は、白色系の合成樹脂にてケース体状に形成された射出成形体からなり、前面パネル５の貫通穴５３に対応した開口部を有して前面パネル５と回路基板１との間に伸長する筒状の仕切部７１と、仕切部７１の中程から連続して斜め外側方向に伸長する第１の反射部７２と、前面パネル用光源６２を取り巻くように前面パネルの外周縁に向かうに従って次第に傾斜が大きくなる平面に形成された第２の反射部７３と、仕切部７１の中程から前面パネル５までの間に位置する第３の反射部７４と、第１の反射部７２の仕切部７１側に設けられた穴部７５と、第１の反射部７２の前面パネル５側に設けられた隙間部７６とから構成されている。
【００２０】
第１の反射部７２は、前面パネル用光源６２と第２の表示部５２ｂとの間に位置して、前面パネル用光源６２から第２の表示部５２ｂに向かう反射光を遮るように、前面パネル５の貫通穴５３と第２の表示部５２ｂとの間の領域の真下に配置されている。
【００２１】
第２の反射部７３は、前面パネル用光源６２の周囲を取り巻くように前面パネル５とは空気層Ｓを隔てて外側に延長し、第１の反射部７２にて反射された照明光を前面パネル５側に反射するように形成されている。
【００２２】
このような構成において、指針用光源６１が発光すると、その照明光は、仕切部７１の指針用光源６１側内壁面によって前方側に案内され、前面パネル５の貫通穴５３を通じて指針４の回動中心部Ｒに供給され、これにより指針４の指示部４１が照明される。一方、前面パネル用光源６２が発光すると、その照明光は反射体７の第１の反射部７２により放射状に反射され、空気層Ｓを通じて外周方向に向かい、このように反射された照明光は第２の反射部７３によって前面パネル５側に拡散反射され、空気層Ｓを通じて前面パネル５に到達し、前面パネル５の第１の表示部５２ａを照明する。また、空気層Ｓ内の光は隙間部７６を通じて第２の表示部５２ｂに至ると共に、穴部７５より入射した前面パネル用光源６２の照射光も、第３の反射部７４で前面パネル５側に反射され、隙間部７６を通過して第２の表示部５２ｂに至り、この部分を照明する。
【００２３】
以上のように、本実施例によれば、回路基板１と、回路基板１に配置され駆動軸２が前方側に伸びる計器本体３と、駆動軸２の先端側に装着される指針４と、指針４と回路基板１との間に設けられ、指針４が指示する第１の表示部５２ａ及び指針４の回転中心部Ｒと第１の表示部５２ａとの間に位置する第２の表示部５２ｂとを有する前面パネル５と、第１の表示部５２ａよりも駆動軸２側に位置する回路基板１の前方側に配置され少なくとも第１，第２の表示部５２ａ，５２ｂを照明する前面パネル用光源６２と、前面パネル５と回路基板１との間に配置される反射体７とを備えた計器装置において、反射体７は前面パネル用光源６２に対向し、この前面パネル用光源６２からの照明光を外周に反射する第１の反射部７２と前面パネル用光源６２を取り巻くように前面パネル５とは適宜空間を空けて外側に延長し前面パネル用光源６２からの照明光を前面パネル５側に反射させる第２の反射部７３と、第１の反射部７２と第２の表示部５２ｂとの間箇所に隙間部７６を有することによって、隙間部７６を通じて第１の反射部付近に配置される第２の表示部５２ｂを適切に照明することができ、また設計上の自由度を向上することができる。
【００２４】
また、第１の反射部７２に照明光を前面パネル５側に通過させる穴部７５を設けたことによって、穴部７５から入射した前面パネル用光源６２の照明光を第３の反射面７４で反射させ、その照明光が隙間部７６を通過して第２の表示部５２ｂ側へ照射させることによって、第２の表示部５２ｂを効率良く照明することができる。
【００２５】
また、反射体７が穴部７５を通過した照明光を隙間部７６側に反射する第３の反射部７４を有することによって、穴部７５から入射した前面パネル用光源６２の照明光を第３の反射部７４で反射させ、その照明光が隙間部７６を通過して第２の表示部５２ｂへ照射させることによって、第２の表示部５２ｂを効率良く照明することができる。
【００２６】
なお、本実施形態では第２の表示部５２ｂを一カ所としているが、意匠の数や大きさによって、穴部７５や隙間部７６を増やすなど、表示部に対応した箇所に配置すればよく、個数や大きさなどは任意である。
【図面の簡単な説明】
【００２７】
【図１】本発明の第１の実施例となる計器装置の前方側要部を示す平面図。
【図２】図１のＡ−Ａ断面図
【符号の説明】
【００２８】
１      回路基板
２      駆動軸
３      計器本体
４      指針
５      前面パネル
６      光源
７      反射体
４１    指示部
５２    表示部
５２ａ  第１の表示部
５２ｂ  第２の表示部
５３    貫通穴
６１    指針用光源
６２    前面パネル用光源
７１    仕切部
７２    第１の反射部
７３    第２の反射部
７４    第３の反射部
７５    穴部
７６    隙間部
Ｒ      回転中心部
Ｓ      空気層      
【図１】
2009162560.tif 000003
【図２】
2009162560.tif 000004